(57)【要約】【課題】配線カバーの固定が不要な配線カバー接続具を提供する。【解決手段】取付部１１Ａの２つの側部片１１２が、配線カバー２００Ａの側板２０１１の内側にスライドして配置され、底部片１１１が、底板２０１２の外側にスライドして配置される。すなわち、各側部片１１２と底部片１１１とでレール部２０１を挟持する。これにより、レール部２０１が取付部１１Ａから外れるの防止することができる。取付部１１Ａに配線カバー２００Ａを取り付ける際、中央部分１１１Ｂが弾性で外側に撓み、凸部１１１ＢＡが孔２０１Ａに外側から嵌め込まれる。これにより、外れ防止の効果が増す。また、中央部分１１１Ｂに弾性をもたせることで、レール部２０１を取付部に対して容易に嵌め込むことができるという効果も得られる。【選択図】図２
2015130716.tif 000002
【特許請求の範囲】
【請求項１】
少なくとも２つの配線カバー同士を接続するための接続ベースと前記接続される配線カバーに被せて当該配線カバーの隙間を覆うための接続部蓋とを含む配線カバー接続具であって、
前記配線カバーは、２つの側板と１つの底板とにて樋状に形成されたレール部を含み、
前記接続ベースには、前記配線カバーを取り付ける方向に張り出した取付部が形成され、
前記取付部は、前記底板に沿って配置される底部片と、前記各側板に沿って配置される側部片とを含むことを特徴とする配線カバー接続具。
【請求項２】
前記側部片は、前記レール部の内側に配置され、前記底部片は、前記レール部の外側に配置されることを特徴とする請求項１記載の配線カバー接続具。
【請求項３】
前記底部片は弾性を有し、且つ、前記底部片の先端部は、前記底板に形成される孔に嵌め込まれる凸部を有することを特徴とする請求項１または請求項２記載の配線カバー接続具。
【請求項４】
前記底部片を当該底部片の周縁部分と当該周縁部分以外の中央部分とに分けた場合、前記中央部分は、前記周縁部分のうちの前記接続ベースに接続される部分である基部に接続され、当該基部以外とは分離されることで小底部片を構成し、
前記小底部片は弾性を有し、且つ、前記小底部片の先端部は、前記底板に形成される孔に嵌め込まれる凸部を有することを特徴とする請求項１または請求項２記載の配線カバー接続具。
【発明の詳細な説明】
【技術分野】
【０００１】
本発明は、配線カバーの固定が不要な配線カバー接続具に関するものである。
【背景技術】
【０００２】
従来、屋内において配線を行う場合には、配線を通した配線カバーを壁などに貼り付ける。配線カバーを長くしたい場合は、複数の配線カバーを繋げるように壁に貼り付ければよい。
【先行技術文献】
【特許文献】
【０００３】
【特許文献１】実開平０１−１３１２１５号公報
【発明の概要】
【発明が解決しようとする課題】
【０００４】
一方、屋外においては、配線する距離が長くなる場合が多く、配線カバーを繋げて使用しなければならない状況になることが多いが、配線カバーを壁などに貼り付けられない場合がある。例えば、外壁に凹凸があり、接着が不可能な場合である。あるいは、配線カバーを壁などに貼り付けられたとしても、配線カバー同士を繋げた部分や分岐させる部分において隙間が生じてしまい、屋外での使用に耐えうる接続部分の強度や配線カバー内の配線の保護に不安がある場合がある。
【０００５】
そのため、配線カバーを固定せず、配線カバー同士を直接接続することができるような配線カバーの接続具も提案されているが、接続部の固定に螺子止めが必要で工事が煩雑であったり、螺子止めが不要であっても配線カバーとの接続部を固定する構造が弱いために外れやすいといった課題があり、屋外での強度と工事の簡便性を両立させる配線カバー接続具に対する要望がある。
【０００６】
また、このような接続具により配線カバー同士を直接接続できれば、屋外に限らず室内や屋根裏、床下配線等の屋内における配線の自由度も向上する。
【０００７】
本発明は、上記の課題に鑑みてなされたものであり、その目的とするところは、配線カバーの固定が不要な配線カバー接続具を提供することにある。
【課題を解決するための手段】
【０００８】
上記の課題を解決するために、本発明の配線カバー接続具は、少なくとも２つの配線カバー同士を接続するための接続ベースと前記接続される配線カバーに被せて当該配線カバーの隙間を覆うための接続部蓋とを含む配線カバー接続具であって、前記配線カバーは、２つの側板と１つの底板とにて樋状に形成されたレール部を含み、前記接続ベースには、前記配線カバーを取り付ける方向に張り出した取付部が形成され、前記取付部は、前記底板に沿って配置される底部片と、前記各側板に沿って配置される側部片とを含むことを特徴とする。
【発明の効果】
【０００９】
本発明の配線カバー接続具によれば、接続ベースには、配線カバーを取り付ける方向に張り出した取付部が形成され、取付部は、配線カバーの底板に沿って配置される底部片と、配線カバーの各側板に沿って配置される側部片とを含むので、配線カバー同士を壁などに固定せずとも、簡易に強度をもった配線カバーの接続が可能である。
【図面の簡単な説明】
【００１０】
【図１】本実施の形態に係る配線カバー接続具を示す図である。
【図２】図１の一部を詳細に説明するための図である。
【図３】接続部蓋３の構成を示す図である。
【図４】分割された配線導出管３１Ａを示す図である。
【図５】一体化した配線導出管３１Ａを示す図である。
【図６】配線導出管３１Ｂの構成を示す図である。
【図７】一体化した配線導出管３１Ｂを示す図である。
【図８】分割された配線導出管３１Ｂを示す図である。
【発明を実施するための形態】
【００１１】
以下、本発明の実施の形態について図面を参照して説明する。
【００１２】
図１は、本実施の形態に係る配線カバー接続具を示す図である。図２は、図１の一部を詳細に説明するための図である。
【００１３】
図１は、一例として、壁１０００伝いに配置した配線カバー２００Ａ、２００Ｂ（総称して、単に配線カバーともいう）を直線的に接続する様子を示している。
【００１４】
図２に示すように、各配線カバー２００Ａ、２００Ｂは、レール部２０１と、レール部２０１に被せる蓋部２０２とを含む。レール部２０１は、２つの側板２０１１と１つの底板２０１２とにて樋状に形成される。底板２０１２には、外れ防止用の孔２０１Ａが形成される。孔２０１Ａは、配線カバーの製造時または施行現場で空けられる。
【００１５】
接続ベース１は、配線カバー２００Ａと配線カバー２００Ｂを接続するものである。接続部蓋２は、接続ベース１に被せて、配線カバー２００Ａ、２００Ｂの隙間を覆うためのものである。接続ベース１、接続部蓋２の材質は、例えば、プラスチックである。
【００１６】
接続ベース１には、配線カバー２００Ａを取り付ける方向に張り出した取付部１１Ａと、配線カバー２００Ｂを取り付ける方向に張り出した取付部１１Ｂとが形成されている。
【００１７】
なお、ここでは、２つの取付部を反対方向に向けて設けたが、例えば、取付部同士が９０°をなすようにしてもよい。つまり、デズミ状やイリズミ状としてもよい。また、取付部の数は３以上であってもよい。例えば、取付部を３つ設けＴ字状としてもよい。また、取付部を４つ設け十字状としてもよい。また、取付部を多数設け放射状としてもよい。
【００１８】
また、接続ベース１には、接続ベース１を壁１０００に固定するための螺子通し孔１３を設けてもよい。
【００１９】
各取付部１１Ａ、１１Ｂは、底板２０１２に沿って配置される底部片１１１と、各側板２０１１に沿って配置される側部片１１２とを含む。
【００２０】
底部片１１１をその周縁部分１１１Ａと当該周縁部分１１１Ａ以外の中央部分１１１Ｂとに分けた場合、中央部分１１１Ｂは、周縁部分１１１Ａのうちの接続ベース１に接続される部分である基部１１１ＡＡに接続され、当該基部１１１ＡＡ以外とは分離されることで小底部片を構成している。すなわち、底部片１１１は、書類などをとめるクリップ状になっている。
【００２１】
この小底部片、すなわち中央部分１１１Ｂは弾性を有し、且つ、小底部片（１１１Ｂ）の先端部は孔２０１Ａに嵌め込まれる凸部１１１ＢＡを有する。
【００２２】
なお、ここでは、配線カバー２００Ａと取付部１１Ａを外れにくくするために、小底部片（１１１Ｂ）の先端部に、孔２０１Ａに嵌め込むための凸部１１１ＢＡを設けたが、配線カバーが短くて、元々外れにくい場合などにおいては、凸部１１１ＢＡを設けなくてもよい。
【００２３】
（配線カバーの接続方法）
配線カバー２００Ａは取付部１１Ａに取り付けられ、配線カバー２００Ｂは取付部１１Ｂに取り付けられる。
【００２４】
具体的には、取付部１１Ａの２つの側部片１１２が、配線カバー２００Ａの側板２０１１の内側にスライドして配置され、底部片１１１が、底板２０１２の外側にスライドして配置される。すなわち、各側部片１１２と底部片１１１とでレール部２０１を挟持する。これにより、レール部２０１が取付部１１Ａから外れるの防止することができる。
【００２５】
取付部１１Ａに配線カバー２００Ａを取り付ける際、中央部分１１１Ｂが弾性で外側に撓み、凸部１１１ＢＡが孔２０１Ａに外側から嵌め込まれる。これにより、外れ防止の効果が増す。また、中央部分１１１Ｂに弾性をもたせることで、レール部２０１を取付部に対して容易に嵌め込むことができるという効果も得られる。
【００２６】
レール部２０１には蓋部２０２がスライドして嵌め込まれる。同様に配線カバー２００Ｂも取付部１１Ｂに取り付けられる。
【００２７】
なお、ここでは、側部片１１２が、レール部２０１の内側に配置され、底部片１１１が、レール部２０１の外側に配置されるようにしたが、側部片１１２が、レール部２０１の外側に配置され、底部片１１１が、レール部２０１の内側に配置されるようにしてもよい。
【００２８】
また、底部片１１１は以下のように構成してもよい。つまり、底部片１１１をクリップ状とはせず、底部片１１１に弾性をもたせ、底部片１１１の先端部に凸部１１１ＢＡを設けてもよい。かかる構成によっても、クリップ状とした底部片１１１と同様の作用により、レール部２０１が取付部１１Ａから外れるの防止できる。
【００２９】
接続部蓋２は、配線カバー２００Ａのレール部２０１の端部と配線カバー２００Ｂのレール部２０１の端部に跨って被され、これにより、配線カバー２００Ａ、２００Ｂの隙間を覆う。このとき、蓋部２０２の端面２０２１と接続部蓋２の端面２１が当接する。また、接続部蓋２のフック２２が、接続ベース１のフック１２に引っ掛かり、外れを防止する。
【００３０】
このように、接続ベース１と接続部蓋２により、配線カバー２００Ａ、２００Ｂを互いに接続することができる。
【００３１】
配線時には、例えば、接続部蓋２が一旦外され、配線３００が配線カバー２００Ａ、２００Ｂの内部へ導かれ、再び接続部蓋２が取り付けられる。接続部蓋２により、配線３００の露出、配線カバー内への異物の侵入を防止できる。なお、接続部蓋２を取り付けたまま、配線３００を一方の配線カバーから接続ベース１を介して他方の配線カバーに通してもよい。
【００３２】
（変形例）
図３は、接続部蓋２とは別な形状の接続部蓋３の構成を示す図である。ここでは、接続部蓋２との差異を説明する。
【００３３】
接続部蓋３には、配線カバー２００Ａ、２００Ｂの隙間から引き出した配線３００を外部に導出するための配線導出管３１Ａが形成されている。これにより、配線３００を例えば、配線導出管３１Ａに接続したパイプＰの中に通し、その方向を変えることができる。
【００３４】
例えば、当初は接続部蓋２を使用し、必要時、接続部蓋３に取り替えるという使用方法を採用できる。また、その逆も可能である。
【００３５】
図４に示すように、配線導出管３１Ａは、配線３００を引き出す先端部３１１から２分割可能である。フック３２をフック孔３３に引っ掛けることで、分割された配線導出管３１Ａが一体化し（図５）、外せば配線導出管３１Ａは分割される。
【００３６】
配線導出管３１Ａは、分割可能なので、パイプＰを接続するための特別な仕組みは必要なく、単にパイプＰを挟み込んで取り付けることができる。
【００３７】
また、仮に先端部３１１から分割できないこととすると、配線導出管３１Ａは、配線３００をパイプＰに通した後からでは取り付けることができない。つまり、配線３００を一旦パイプＰから引き抜き、先端部３１１の開口を通してから、再びパイプＰに通さなければならない。
【００３８】
しかし、先端部３１１から分割可能な配線導出管３１Ａは、配線３００を挟み込むようにすればよいので、一旦パイプＰから配線３００を引き抜かなくても、つまり、配線３００をパイプＰに通した後からでも取り付けることができる。
【００３９】
あるいは、配線導出管３１Ａを用いて配線を敷設した場合において、新たな配線が別の方向に必要になり、後述のような配線導出管３１Ｂに交換する必要が生じた場合についても、分割可能な構造とすることで簡単に交換することができる
また、先端部３１１の内周面には、パイプＰの外周面に形成された溝Ｐ１に嵌り込む襞３１１１が形成されている。これにより、パイプＰが先端部３１１から抜けるのを防止することができる。
【００４０】
次に、図６、図７、図８を用い、配線導出管３１Ａとは別な形状の配線導出管３１Ｂについて説明する。ここでは、配線導出管３１Ａとの差異を説明する。
【００４１】
配線導出管３１Ｂは、接続部蓋３に対し立体的に交差するように形成される。例えば、配線導出管３１Ｂを、接続部蓋３に対し平面的に交差するように形成すると、図７に示す配線３００Ａは配線３００Ｂに強く擦れ、パイプＰに通しにくい。しかし、立体的に交差させることで、配線３００Ａは配線３００Ｂに強く擦れず、パイプＰに通しやすくなる。
【００４２】
また、図８に示すように、配線導出管３１Ｂは、配線３００を引き出す先端部３１１から２分割可能である。各フック３２Ｂを、対応する凹部３３Ｂに引っ掛けることで、分割された配線導出管３１Ｂが一体化し、外せば配線導出管３１Ｂは分割される。
【００４３】
配線導出管３１Ｂの先端部３１１は、当初は蓋３１１Ｆで閉塞されている。例えば、パイプＰを接続すべき先端部３１１の蓋３１１Ｆを、溝３１１Ｇに刃物を入れて切り落とすことで、先端部３１１が開放する。これにより、パイプＰを接続できる。
【００４４】
逆に、パイプＰを接続しない先端部３１１を閉塞のままにでき、つまり、配線の露出、異物の侵入を防止できる。
【００４５】
なお、配線導出管３１Ｂは、２つのパイプＰを接続できる構造だが、一方のみを接続できるようにしてもよい。例えば、一方の先端部３１１に蓋を設けず且つ閉塞してもよい。
【００４６】
このような利用形態により、例えば後日、パイプＰを接続された一方とは逆方向の先端部３１１の方向に配線する必要性が生じた場合、閉塞している先端部３１１を開放することにより、容易に逆方向への配線が可能になる。
【００４７】
以上のように、本実施の形態の配線カバー接続具によれば、壁などの造営面に対する施工をして配線カバーを造営面に固定することなく、配線カバー同士を接続できる。つまり、造営面に凹凸があっても、配線カバー同士を接続できる。
【００４８】
また、配線カバー接続具は配線カバーと一体になるので、図２に示すように、螺子通し孔１３などにより接続カバーを造営面（壁）に固定することで、配線カバーを造営面に取り付けることもできる。
【００４９】
しかし、基本的には造営面への施工が不要なので、配線カバーの取り付け作業が省力化でき、造営面から離れた位置に配線カバーを取り付けることもできる。また、造営面への施工によって美観が損なわれることも防止できる。
【００５０】
また、基本的には造営面への施工が不要なので、図２に示す螺子通し孔１３などのような加工を最小限にすることができる。
【００５１】
また、配線カバー接続具は接続ベースと接続部蓋で構成されるので、接続部蓋を開け閉めでき、よって、配線が容易であり、増設、撤去、メンテナンスも容易に行える。
【００５２】
なお、本実施の形態の配線カバー接続具は、屋外での使用において効果が大きいが、屋内で使用することで屋内配線の利便性を向上させることができる。
【符号の説明】
【００５３】
１…接続ベース
２、３…接続部蓋
１１Ａ、１１Ｂ…取付部
１２、２２、３２、３２Ｂ…フック
１３…螺子通し孔
２１…端面
３１Ａ、３１Ｂ…配線導出管
３３…フック孔
３３Ｂ…凹部
１１１…取付部の底部片
１１１Ａ…底部片の周縁部分
１１１ＡＡ…周縁部分の基部
１１１Ｂ…底部片の中央部分（小底部片）
１１１ＢＡ…中央部分（小底部片）の凸部
１１２…取付部の側部片
２００Ａ、２００Ｂ…配線カバー
２０１…配線カバーのレール部
２０１Ａ…孔
２０２…配線カバーの蓋部
３００、３００Ａ、３００Ｂ…配線
３１１…先端部
３１１Ｆ…蓋
３１１Ｇ…溝
１０００…壁
２０１１…レール部の側板
２０１２…レール部の底板
２０２１…端面
３１１１…襞
Ｐ…パイプ
Ｐ１…溝
【図１】
2015130716.tif 000003
【図２】
2015130716.tif 000004
【図３】
2015130716.tif 000005
【図４】
2015130716.tif 000006
【図５】
2015130716.tif 000007
【図６】
2015130716.tif 000008
【図７】
2015130716.tif 000009
【図８】
2015130716.tif 000010